(57)【要約】 【課題】  複数段に電線が配置されるコネクタの低背化を図る。【解決手段】  電線２０が接続される複数の端子金具３０と、複数の端子金具３０が収容されるハウジング１０とを備えるコネクタのハウジング１０内に、電線２０が当接して積み上げられた状態で端子金具３０を収容するとともに、互いに当接する電線２０のうち上段側の電線２０Ａと接続される端子金具３０Ａを、下段側の電線２０Ｂと接続される端子金具３０Ｂよりも電線延び方向に離間した位置に配置することでコネクタの低背化を図る。【選択図】  図１
2005183312.tif 000002
【特許請求の範囲】
【請求項１】
電線が接続される複数の端子金具と、
前記複数の端子金具が収容されるハウジングとを備えるコネクタであって、
前記ハウジング内には、前記電線が当接して積み上げられた状態で前記端子金具が収容されるとともに、互いに当接する前記電線のうち、上段側の電線と接続される端子金具と、下段側の電線と接続される端子金具とは非接触の配置となっていることを特徴とするコネクタ。
【請求項２】
前記ハウジングにおける前記電線挿入側には、前記各電線の側方への位置ずれを規制可能な位置ずれ規制部が設けられるとともに、前記ハウジングの上面は開閉可能な蓋部で覆われ、前記蓋部を閉じた状態では、前記ハウジング内の電線は前記蓋部によって押圧保持されることを特徴とする請求項１に記載のコネクタ。
【請求項３】
前記電線は導電性のシールド層を有するシールド電線であるとともに、前記蓋部は、金属製であり、少なくとも前記蓋部が閉じられた状態では、前記ハウジングを取り囲むようになっており、かつ、前記シールド層と前記蓋部とが導通可能とされていることを特徴とする請求項２に記載のコネクタ。
【請求項４】
前記上段側の電線は、前記下段側の電線と接続される端子金具よりも電線延び方向に離間した位置にある端子金具に接続されるものであって、
前記端子金具には前記電線の芯線と接続可能な電線接続部が備えられるとともに、隣接する電線のうち下段側に位置する電線に接続された前記端子金具の電線接続部は上段側に位置する電線の外皮の下端部を受承して前記上段側電線の側方への位置ずれを規制可能な受承面が形成されていることを特徴とする請求項１ないし請求項３のいずれかに記載のコネクタ。
【請求項５】
前記ハウジングには、前記受承面よりも前方において、
前記受承面に支えられる電線のふれを防止するふれ止め溝が設けられていることを特徴とする請求項４に記載のコネクタ。
【請求項６】
前記蓋部には、前記蓋部が閉じられた状態で、前記複数段の電線のうちの最上段の電線の芯線が接続される前記端子金具の電線接続部の上端との干渉を回避可能な凹部が形成されていることを特徴とする請求項２ないし請求項５のいずれかに記載のコネクタ。
【発明の詳細な説明】
【技術分野】
【０００１】
本発明は、コネクタに関する。
【背景技術】
【０００２】
従来、ハウジングに複数段の電線が備えられるコネクタが知られている。
このようなコネクタは、例えば、図１４に示すように、隔壁１によって上下の複数段に仕切られたハウジングの各段の端子収容室２に、それぞれの端子金具３が隣接する段の端子金具３と所定の間隔を空けて配置されている（下記特許文献１参照）。
【特許文献１】実開平６−８６２６１号公報
【発明の開示】
【発明が解決しようとする課題】
【０００３】
ところで、例えば、上記コネクタをスペースの限られた場所に配置する必要がある場合に、コネクタの低背化が要請されることがある。しかしながら、コネクタを隔壁を介して複数段とした場合には、隔壁の厚みの分や、また、電線収容室内は電線を容易に挿入できるように高さ方向にクリアランスが設定されていることにより、その分の高さだけコネクタが嵩高になってしまう。
【０００４】
本発明は上記のような事情に基づいて完成されたものであって、複数段に電線が配置されるコネクタの低背化を図ることを目的とする。
【課題を解決するための手段】
【０００５】
上記の目的を達成するための手段として、請求項１の発明は、電線が接続される複数の端子金具と、前記複数の端子金具が収容されるハウジングとを備えるコネクタであって、前記ハウジング内には、前記電線が当接して積み上げられた状態で前記端子金具が収容されるとともに、互いに当接する前記電線のうち、上段側の電線と接続される端子金具と、下段側の電線と接続される端子金具とは非接触の配置となっている構成としたところに特徴を有する。
【０００６】
請求項２の発明は、請求項１に記載のものにおいて、前記ハウジングにおける前記電線挿入側には、前記各電線の側方への位置ずれを規制可能な位置ずれ規制部が設けられるとともに、ハウジングの上面は開閉可能な蓋部で覆われ、前記蓋部を閉じた状態では、前記ハウジング内の電線は前記蓋部によって押圧保持されるところに特徴を有する。
【０００７】
請求項３の発明は、請求項２に記載のものにおいて、前記電線は導電性のシールド層を有するシールド電線であるとともに、前記蓋部は、金属製であり、少なくとも前記蓋部が閉じられた状態では、前記ハウジングを取り囲むようになっており、かつ、前記シールド層と前記蓋部とが導通可能とされているところに特徴を有する。
【０００８】
請求項４の発明は、請求項１ないし請求項３のいずれかに記載のものにおいて、前記上段側の電線は、下段側の電線と接続される端子金具よりも前記電線延び方向に離間した位置にある端子金具に接続されるものであって、前記端子金具には前記電線の芯線と接続可能な電線接続部が備えられるとともに、隣接する電線のうち下段側に位置する電線に接続された前記端子金具の電線接続部は上段側に位置する電線の外皮の下端部を受承して前記上段側電線の側方への位置ずれを規制可能な受承面が形成されているところに特徴を有する。
【０００９】
請求項５の発明は、請求項４に記載のものにおいて、前記ハウジングには、前記受承面よりも前方において、前記受承面に支えられる電線のふれを防止するふれ止め溝が設けられているところに特徴を有する。
【００１０】
請求項６の発明は、請求項２ないし請求項５のいずれかに記載のものにおいて、
前記蓋部には、前記蓋部が閉じられた状態で、前記複数段の電線のうちの最上段の電線の芯線が接続される前記端子金具の電線接続部の上端との干渉を回避可能な凹部が形成されているところに特徴を有する。
【発明の効果】
【００１１】
＜請求項１の発明＞
請求項１の発明によれば、ハウジング内には、電線が当接して積み上げられた状態で端子金具が収容されるから、これらの電線間に隔壁や隙間が生じず、低背化を図ることができる。また、互いに当接する前記電線のうち、上段側の電線と接続される端子金具と下段側の電線と接続される端子金具とは非接触の配置となっているから端子金具同士が短絡することがない。
【００１２】
＜請求項２の発明＞
請求項２の発明によれば、ハウジングにおける電線挿入側には、位置ずれ規制部が設けられるから、電線挿入側において側方への電線のずれを規制できる。また、蓋部を閉じた状態では、電線は蓋部によって押圧保持されるから、電線の抜けを防止できる。
【００１３】
＜請求項３の発明＞
請求項３の発明によれば、シールド層と蓋部とが導通可能とされているから、これらを一体的にアースすることができる。
【００１４】
＜請求項４の発明＞
請求項４の発明によれば、端子金具の電線接続部は上段側に位置する電線の外皮の下端部を受承して上段側電線の側方への位置ずれを規制可能な受承面が形成されているから部品点数を増加させることなく、電線の撓みの防止でき、また、電線が側方へ位置ずれすることを防止できる。
【００１５】
＜請求項５の発明＞
請求項５の発明によれば、ハウジングには、受承面よりも前方において、受承面に支えられる電線のふれを防止するふれ止め溝が設けられているから、電線の側方への位置ずれを防止できる。
【００１６】
＜請求項６の発明＞
コネクタの低背化のために、例えば、最上段の電線の芯線が接続される端子金具の上端が、蓋部が閉じられた状態において、蓋部の下面の近接する位置に達する場合には、蓋部を閉じた際に、組付公差や寸法公差等により端子金具の上端が蓋部にぶつかってしまう場合がありうる。しかし、請求項６の発明によれば、蓋部には、最上段の電線の芯線が接続される端子金具の電線接続部の上端との干渉を回避可能な凹部が形成されているから、端子金具の上端が蓋部にぶつかることがない。
【発明を実施するための最良の形態】
【００１７】
＜実施形態１＞
本発明の実施形態１を図１ないし図１２によって説明する。
本実施形態のコネクタは、コネクタハウジング（以下、「ハウジング１０」という）と、ハウジング１０上で上下二段に重ねられる複数の電線２０と、対応する段の電線２０と接続される二種類の端子金具３０とを備えてなる。そして、このコネクタを基板上に装着された基板側コネクタ５０と嵌合させることにより、電線２０を基板上の回路（図示しない）と導通させるものである。
なお、以下の説明において、上下方向については図１を基準とし、前後方向については図１の右側を前方とする。
【００１８】
ハウジング１０は、図１，図６，図８から図１２に示すように、合成樹脂からなり、矩形状の下面の周縁に側壁を起立させて全体が上方へ開放する箱型をなす。
ハウジング１０の後端部の上面には、対応する電線２０が挿入可能となるように上方に開放して窪み形成された複数の位置ずれ規制部１５が幅方向に所定のピッチ毎に設けられ、ここに電線２０を嵌めこむことで電線２０の端部をハウジング１０内に導入可能とされている。
【００１９】
この位置ずれ規制部１５の凹み幅は電線２０の幅とほぼ等しくされており、位置ずれ規制部１５に電線２０が挿入されることにより、電線２０の側方（電線延び方向とほぼ直交する方向）への位置ずれが規制されるようになっている。また、位置ずれ規制部１５の凹み深さは、位置ずれ規制部１５内に二本の電線２０を積み上げた際に上段側の電線２０Ａの上端がわずかにはみ出る深さとされている。
【００２０】
ハウジング１０内の前後方向の略中央部には、その全幅に亘って絶縁壁部１１が形成され、その前後の領域の絶縁状態を保つようになっている。また、絶縁壁部１１は、そのほぼ同幅がハウジング１０の下面に突出しており、この突出した下部１１Ａが基板側コネクタ５０に嵌めこまれるようになっている。
【００２１】
絶縁壁部１１の上面には、位置ずれ規制部１５と対応した箇所に複数のふれ止め溝１２が設けられている。このふれ止め溝１２の溝幅は電線２０の幅寸法とほぼ等しくされるとともに、その深さは上段の電線２０の全体がはめ込まれる深さとされている。そして、このふれ止め溝１２に上段側の電線２０Ａが嵌めこまれることで、上段側の電線２０Ａは、側方へのふれが規制された状態でハウジング１０上に保持されるようになっている。
【００２２】
絶縁壁部１１で仕切られたハウジング１０の前方の領域は、上段側の電線２０Ａと後述する上段側端子金具３０Ａとが接続される上段側接続領域１３とされるとともに、絶縁壁部１１で仕切られたハウジング１０の後方の領域が下段側の電線２０Ｂと後述する下段側端子金具３０Ｂとが接続される下段側接続領域１４とされている。
【００２３】
上段側接続領域１３は、この領域の略後半部分が低くされた上段側端子保持部１３Ａとされ、ここに上段側端子金具３０Ａが配されるようになっている。一方、下段側接続領域１４では、この領域の略前半部分が低くされた下段側端子保持部１４Ａとされ、ここに下段側端子金具３０Ｂが配されるようになっている。
【００２４】
なお、上段側接続領域１３は、下段側接続領域１４よりも、全体的に電線２０の幅寸法分だけ高くされている。このことは、上段側の電線２０Ａを上段側接続領域１３において、ほぼ水平な状態で配索することに対応させたものである。
【００２５】
ハウジング１０は、共に導電性の金属部材からなる上側シェル４０と、下側シェル１０Ｂとにより形成されるシールドシェル（本発明の「蓋部」に相当する）にてほぼ全体が囲まれている。なお、ハウジング１０の下面のうち、基板側コネクタ５０との嵌合面となる中心部１０Ｃ及び電線２０の挿入される側である位置ずれ規制部１５に対応する部分は、下側シェル１０Ｂで囲まれないようになっている。
【００２６】
上側シェル４０は、図８から図１２に示すように、平板状の天板部４１と、天板部４１の両側端部から下方に延出された一対の側板部４２とからなる。
天板部４１の前端部４１Ａは下側シェル１０Ｂの前端部に対し、その一縁のほぼ全幅に亘って設けられたヒンジ片１６を介して接続され、これにより上側シェル４０を後方から開閉可能に構成されている。
また、側板部４２の両側面には、片側一対ずつのロック孔４３が設けられ、このロック孔４３と下側シェル１０Ｂの側面の対応する箇所に設けられた一対のロック突起１７とが係合し、ハウジング１０に対して上側シェル４０を閉止可能となっている。
【００２７】
さらに、図９に示すように、天板部４１の後端部は、側板の後端面４２Ａよりもやや後方に突出し、その突出した部分が下向きに弧状に曲げられてなる押圧部４４とされている。また、下側シェル１０Ｂの後端部は、押圧部４４に対応して上向きに弧状に曲げられている。そして、上側シェル４０を閉じた状態では、位置ずれ規制部１５に保持された二段の電線２０が、この押圧部４４の先端（下端）と、電線２０の下方から支持する位置ずれ規制部１５の底面との間で挟持されることになり、電線２０の抜け止めが図られる。また、二段の電線２０のシールド層２３及び金属製の下側シェル１０Ｂ並びに上側シェル４０が導通可能となり、コネクタを一体的にアースすることができる。
【００２８】
また、上側シェル４０のうち、上側シェル４０が閉じられた状態で、上段側の電線２０と接続される後述する上段側端子金具３０Ａの上端部の近傍に位置する部分には、この上端部を中心とした円形状の逃げ孔４５（本発明の「電線接続部の上端との干渉を回避可能な凹部」に相当する）が形成されている。したがって、上側シェル４０を閉じる際に、組付け公差や寸法公差に起因して上段側端子金具３０Ａの上端が上側シェル４０にぶつかることがないから、上段側端子金具３０Ａの損傷を防止でき、また、上段側端子金具３０Ａと上側シェル４０との接触による短絡を防止することができる。
【００２９】
電線２０は、芯線２１の周囲を内皮２２（内部被覆）で覆い、その周囲を金属編組からなるシールド層２３で覆い、そのシールド層２３をさらに外皮２４（外部被覆）で覆ってなるシールド電線が用いられる。そして、先端部では外皮２４とシールド層２３及び内皮２２が取り除かれて、芯線２１が露出するとともに、露出した芯線２１の先端側では内皮２２が残されている。この露出した芯線２１部分に各端子金具３０が接続されるとともに、電線２０が重ねられた部分では、電線２０の外皮２４同士が当接するようになっている。
また、各段の電線２０のうち、天板部４１の押圧部４４とハウジング１０の位置ずれ規制部１５に対応する箇所は、外皮２４の一部が剥ぎ取られている。具体的には、下段の電線２０Ｂでは、下端部の外皮２４が一部剥ぎ取られてシールド層２３と下側シェル１０Ｂとが接触するようになっている。一方、上段の電線２０Ａでは、上端部の外皮２４の一部が剥ぎ取られ、上側シェル４０が閉じられた状態のときに上側シェル４０と接触するようになっている。
【００３０】
端子金具３０は、上段側端子金具３０Ａと下段側端子金具３０Ｂの脚長のみを異にし、その基本的構成を同一とする２種類のものがあり、ハウジング１０内へは絶縁壁部１１を境として、前後一対の端子金具３０Ａ，３０Ｂ相互が対面する向きに配置されている。これらは共に、図２から図５に示すように、略中央部分が水平で幅広な平板状の基部３１とされ、この基部３１がハウジング１０の対応する端子保持部１３Ａ，１４Ａ上に配されるようになっている。
【００３１】
また、端子金具３０の一端部は、上方に起立した形態とされ、この起立した部分が電線２０の芯線２１を接続可能な電線接続部３２とされるとともに、他端部は絶縁壁部１１に沿って下方に延出された形態とされ、この下方に延出された部分が基板側コネクタ５０と接続可能な基板側接続部３３とされている。
【００３２】
なお、ハウジング１０に両端子金具３０Ａ，３０Ｂがセットされたときには、上段側端子金具３０Ａの下端３４Ａと下段側端子金具３０Ｂの下端３４Ｂの高さが共に絶縁壁部１１の下端と等しくなるようになっている。
【００３３】
電線接続部３２は、図２に示すように、幅方向に弾性変形可能とされた一対の芯線保持片３７間に、自然状態では電線２０の芯線２１よりもわずかに狭い隙間が上下方向に形成され、この隙間に挟み込まれた芯線２１が芯線保持片３７の弾性力により挟持されて、芯線２１と端子金具３０との導通が図られるようになっている。
また、電線接続部３２の上端部は、２又に分かれた部分の各上端面３２Ｃが共に内方に向けてテーパ状に形成されており、これらの上端面が協働してＶ字状の受承面３６とされている。そして、下段側端子金具３０Ｂの受承面３６は、上段側の電線２０Ａの外皮２４の下端部を受承することにより、上段側の電線２０Ａの側方への位置ずれを規制できるようになっている。
さらに、下段側端子金具３０Ｂの受承面３６は、ハウジング１０の絶縁壁部１１のふれ止め溝１２よりも後方に位置し、受承面３６に受承された上段側の電線２０Ａが、その前方のふれ止め溝１２により支えられ、位置ずれ規制部１５と絶縁壁部１１との間で上段側の電線２０Ａの垂れ下がりが防止されるようになっている。
【００３４】
基板側接続部３３Ａ，３３Ｂは、ハウジング１０の絶縁壁部１１に沿って下方に突出した部分の先端にテーパ面が形成されており、両端子金具３０の基板側接続部３３が、絶縁壁部１１の下部と共に、後述する基板用コネクタの窪み５４に嵌めこまれることで、端子金具３０と基板用コネクタの基板側端子金具５２とが導通するようになっている。
上記コネクタが嵌合する基板側コネクタ５０は、合成樹脂製で扁平な箱型の中心部に窪み５４の形成された基板側ハウジング５１を有し、この窪み５４に絶縁壁部１１の下部１１Ａ及び基板側接続部３３Ａ，３３Ｂを差込可能とされている。
基板側ハウジング５１内には、その一端側が窪み５４内に突出する基板側端子金具５２が組込まれている。基板側端子金具５２の他端は基板側ハウジング５１の下面と連続するように延出され、この延出された部分を回路基板のパターンに半田付け等して電子基板上に設置する。
また、基板側端子金具５２の一端側は二又に分岐し、各々は拡開可能なバネ状接触片となっており、基板側ハウジング５１とハウジング１０とが嵌合すると基板側接続部３３Ａ，３３Ｂがバネ状接触片間に押し入ってこれらの間の導通が図られる。
【００３５】
次に、コネクタの組付手順について説明する。
まず上側シェル４０を開いた状態とし、冶具等（図示しない）を用いて、下段側の電線２０Ｂの剥き出しの芯線２１部分を下段用端子金具３０Ｂの一対の芯線保持片３７間に押し入れる。このときには、下段側の電線２０Ｂの先端部に残された内皮２２の下端が下段側端子金具３０Ｂの基部３１Ｂの上面に載置される。
また、このときには、ハウジング１０の後端部に位置する電線２０は、電線２０のうちの一部の外皮２４のみが取り除かれた部分が下方に向けられ、そこから剥き出しとなったシールド層２３がハウジング１０の下側シェル１０Ｂと接触するように挿入される。
【００３６】
次に、上段側の電線２０Ａの剥き出しの芯線２１部分を上段側端子金具３０Ａの一対の芯線保持片３７間に押し入れる。このときには、下段側の電線２０Ｂの先端部に残された内皮２２の下端が上段側端子金具３０Ａの基部３１Ａの上面に載置される。
また、このときには、ハウジング１０の後端部に位置する電線２０は、電線２０のうちの一部の外皮２４のみが取り除かれた部分が上方に向けられ、そこから剥き出しとなったシールド層２３が、上側シェル４０を閉じた状態で、上側シェル４０の押圧部４４と接触するように挿入される。
【００３７】
このとき、上段側の電線２０Ａのうち前部は、絶縁壁部１１の上面に設けられたふれ止め溝１２に保持され、これにより、上段側の電線２０Ａの側方へのふれを防止するようになっている。
【００３８】
また、下段側端子金具３０Ｂの上端部のＶ字状の受承面３６が上段側の電線２０Ａの外皮２４の下端を支持する。これにより、上段側の電線２０Ａの垂れ下がりを防止するとともに、上段側の電線２０Ａの側方への位置ずれが防止されるようになっている。
【００３９】
次に、ヒンジ片１６を介して上側シェル４０を閉じ方向に回動させていく。上側シェル４０の両側板４２の下縁部がハウジング１０のロック突起１７のテーパ状の上面に達すると両側板４２が拡開変形し、ロック孔４３の下端の孔縁部がロック突起１７の下面に達することにより両側板４２が復元変形し、上側シェル４０が閉じられた状態となって固定され、コネクタが組み付けられた状態となる。
【００４０】
このとき、天板部４１の後端部に位置する押圧部４４とハウジング１０の後端部に位置する位置ずれ規制部１５の底面とが上下二段の電線２０を挟みこむことにより二段の電線２０を挟持する。これにより、電線２０の抜け止めが図られるとともに、押圧部４４と上段の電線２０Ａの剥き出しにされたシールド層２３が接することにより、金属製の上側シェル４０と電線２０のシールド層２３とハウジング１０の下側シェル１０Ｂとが導通可能な状態となるから、これらを一体的にアースすることができる。
【００４１】
そして、このコネクタの絶縁壁部１１の下部１１Ａを、基板に装着される基板側コネクタ５０の窪み部５４に、基板に対して垂直な方向から嵌合させることにより、対応する端子金具３０，５２を接触させて基板上の回路と導通を図る。
【００４２】
このように、ハウジング１０内には、電線２０が当接して積み上げられた状態で端子金具３０が収容されるから、これら上下段の電線２０間に隔壁や隙間が生じず、低背化を図ることができる。また、互いに当接する電線２０のうち上段側の電線２０Ａと接続される上段側端子金具３０Ａは、下段側の電線２０Ｂと接続される下段側端子金具３０Ｂよりも前方（電線２０延び方向）に離間した位置にあるから端子金具３０同士が接触することがない。
また、端子金具３０Ｂの電線接続部３２Ｂは上段側に位置する電線２０Ａの外皮の下端部を受承して上段側電線２０Ａの側方（電線２０延び方向と直交する方向）への位置ずれを規制可能な受承面３６が形成されているから部品点数を増加させることなく、電線２０Ａが側方へ位置ずれすることを防止できる。
【００４３】
＜実施形態２＞
次に、本発明の実施形態２を図１３によって説明する。なお、上記実施形態１と同様の構成については、同一符号を付し、構造、作用及び効果の説明を省略し、主に異なる構成について説明する。
【００４４】
実施形態１では、コネクタの嵌合方向は上下（垂直）方向であったが、本実施形態２では、相手側コネクタ（図示しない）を水平方向から嵌合させ、コネクタが嵌め合わされた状態での低背化を図るものである。
ここでは、端子金具６０の位置が前後しているものの、端子金具３０の向きは、上段側端子金具６０Ａ及び下段側端子金具６０Ｂ共に同じ向き（図１３の右方）に延出されている。したがって、上段側端子接続領域と下段側端子接続領域とを仕切る絶縁壁部１１は設けられていない。
【００４５】
本実施形態のコネクタによれば、相手側コネクタと水平方向から嵌合するから、上下で嵌合する場合と比較して、相手側コネクタの高さの分だけ低背化を図ることができる。
【００４６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４７】
（１）上記実施形態では、コネクタは基板用コネクタに接続されるものとしたが、複数段の電線２０を有するコネクタであれば、これに限らず、他のコネクタでもよい。
【００４８】
（２）上記実施形態では、重ねられる電線２０は二段としたが、それ以上であってもよい。なお、この場合、上段側端子金具３０Ａの前方に、更に上段の端子金具３０を配置することができる。
【００４９】
（３）上記実施形態では、基板用コネクタに接続されるものとしたが、他のコネクタに接続されるものであってもよい。
【００５０】
（４）上記実施形態では、上段側端子金具３０Ａは下段側端子金具３０Ｂよりも前方（電線延び方向）に離間した位置にあることとしたが、これに限らず、上段側端子金具３０Ａは下段側端子金具３０Ｂよりも側方（電線延び方向と直交する方向）に離間した位置にあってもよい。
【００５１】
（５）上記実施形態では、予め露出した芯線２１を電線接続部３２に接続させる構成としたが、端子金具３０の電線接続部３２の二又に分かれた部分を圧接刃により形成し、被覆された芯線２１を二又の圧接刃に通して圧接し、端子金具３０と芯線２１との導通を図る構成としてもよい。
【００５２】
（６）上記実施形態では、上側シェル４０の逃げ孔４５は、上段側端子金具３０Ａの上方に位置する構成としたが、これに限られず、例えば、電線２０を支持しない上段側端子金具３０Ａの上端を逃げ孔４５に収容した場合には、逃げ孔４５に収容される分だけさらに低背化を図ることができる。
【００５３】
（７）上記実施形態では、上側シェル４０を貫通させて逃げ孔４５を形成する構成としたが、上側シェル４０を貫通させず、上側シェル４０に上段側端子金具３０Ａとの干渉を回避する凹部を窪み形成する構成でもよい。
【図面の簡単な説明】
【００５４】
【図１】実施形態１に係るコネクタの断面図
【図２】端子金具の上面図
【図３】下段側端子金具の後面図
【図４】下段側端子金具の側面図
【図５】上段側端子金具の側面図
【図６】端子金具を有するハウジングの上面図
【図７】端子金具の受承面に上段側の電線が載置された状態の後面図
【図８】コネクタの後面図
【図９】コネクタの側面図
【図１０】蓋部を開いた状態のコネクタの側面図
【図１１】コネクタと基板側コネクタの嵌合前の断面図
【図１２】コネクタと基板側コネクタが嵌合した状態の断面図
【図１３】実施形態２に係るコネクタの断面図
【図１４】従来のコネクタを示す断面図
【符号の説明】
【００５５】
１０…ハウジング
１１…壁部
１２…ふれ止め溝
１５…位置ずれ規制部
２０Ａ，２０Ｂ…電線
２１…芯線
２３…シールド層
２４…外皮
３０，６０…端子金具
３０Ａ，６０Ａ…上段側端子金具
３０Ｂ，６０Ｂ…下段側端子金具
３１…基部
３２…電線接続部
３３…基板側接続部
３６…受承面
４０…蓋部
４４…押圧部
４５…逃げ孔（凹部）
５０…基板側コネクタ
５２…基板側端子金具
【図１】
2005183312.tif 000003
【図２】
2005183312.tif 000004
【図３】
2005183312.tif 000005
【図４】
2005183312.tif 000006
【図５】
2005183312.tif 000007
【図６】
2005183312.tif 000008
【図７】
2005183312.tif 000009
【図８】
2005183312.tif 000010
【図９】
2005183312.tif 000011
【図１０】
2005183312.tif 000012
【図１１】
2005183312.tif 000013
【図１２】
2005183312.tif 000014
【図１３】
2005183312.tif 000015
【図１４】
2005183312.tif 000016